(57)【要約】      （修正有）【課題】居室空間への出入りを容易にしながらより広い居室空間を確保することができる居室構造体を提供する。【解決手段】居室構造体２は、上下に積み重ね可能であって、居室構造体の内部居室空間１８へ入るための入口が形成される入口面６と、居室構造体の床面とを有し、床面は、第１の床面２０と、入口面の左右方向に関して第１の床面に隣接して第１の床面よりも高く入口面から奥行き方向に延びる第２の床面２２と、入口面の左右方向に関して第２の床面とは反対側で第１の床面に隣接し第１の床面よりも低く入口面から奥行き方向に延びる第３の床面２４と、を有する。より低い第３の床面により、居室構造体を上に配置した際、建物の床面から上の居室構造体の入口までの高さが低くなり、居室構造体に上がりやすくなる。また、より広い居室空間を確保できる。【選択図】図２
0003226270.tif 000002
【実用新案登録請求の範囲】
【請求項１】
上下に積み重ね可能な居室構造体であって、
前記居室構造体の内部居室空間へ入るための入口が形成される入口面と、
前記居室構造体の床面とを有し、
前記床面は、第１の床面と、前記入口面の左右方向に関して前記第１の床面に隣接して前記第１の床面よりも高く前記入口面から奥行き方向に延びる第２の床面と、前記入口面の左右方向に関して前記第２の床面とは反対側で前記第１の床面に隣接し前記第１の床面よりも低く前記入口面から奥行き方向に延びる第３の床面と、を有する、
ことを特徴とする居室構造体。
【請求項２】
前記第２の床面は、奥行き方向全長にわたって延びる、
請求項１に記載の居室構造体。
【請求項３】
前記第３の床面は、奥行き方向全長にわたって延びる、
請求項１または請求項２に記載の居室構造体。
【請求項４】
前記第３の床面は、前記入口面に接続する位置から奥行き方向寸法の一部にわたって延びる、
請求項１または請求項２に記載の居室構造体。
【請求項５】
前記入口面には、前記第３の床面と接続する位置に、前記内部居室空間へ入るための入口開口が設けられている、
請求項１から請求項４のいずれか１項に記載の居室構造体。
【請求項６】
前記居室構造体が他の居室構造体の上に積み重ねられている状態で、
前記入口開口の位置には、前記他の居室構造体の設置面と前記入口開口とをつなぐはしごが取り付けられている、
請求項５に記載の居室構造体。
【請求項７】
前記第３の床面は、前記入口面の左右方向中央より左右いずれかにオフセットして配置されている、
請求項１から請求項６のいずれか１項に記載の居室構造体。
【請求項８】
前記内部居室空間内には、前記第２の床面上に寝具が配置されている、
請求項１から請求項７のいずれか１項に記載の居室構造体。
【請求項９】
前記内部居室空間内には、前記第１の床面及び／又は前記第２の床面に、使用者の荷物を置くことが可能なスペースが設けられている、
請求項１から請求項８に記載の居室構造体。
【請求項１０】
請求項１から請求項９のいずれか１項に記載の前記居室構造体を上に積み重ね可能な居室構造体であって、
前記居室構造体の内部居室空間へ入るための入口が形成される入口面と、
前記居室構造体の天井面と、を有し、
前記天井面は、前記第１の床面に対応する位置に設けられる第１の天井面と、前記第２の床面に対応する位置に設けられて前記第１の天井面よりも高く前記入口面から奥行き方向に向かって延びる第２の天井面と、前記第３の床面に対応する位置に設けられて前記第１の天井面よりも低く前記入口面から奥行き方向に向かって延びる第３の天井面と、を有する、
ことを特徴とする居室構造体。
【請求項１１】
前記第３の天井面は、前記居室構造体の入口面の左右方向中央より左右いずれかにオフセットして配置されている、
請求項１０に記載の居室構造体。
【請求項１２】
前記入口面に、前記内部居室空間へ入るための入口開口が設けられ、
前記入口開口は、前記入口面の左右方向中央より、前記第３の天井面が設けられた側とは反対側にオフセットして配置されている、
請求項１１に記載の居室構造体。
【請求項１３】
前記内部居室空間内には、前記第３の天井面が設けられた位置に対応する位置の床面に、寝具が配置されている、
請求項１０から１２のいずれか１項に記載の居室構造体。
【請求項１４】
前記内部居室空間内には、前記第１の天井面及び／又は前記第２の天井面が設けられた位置に対応する位置の床面に、使用者の荷物を置くことが可能なスペースが設けられている、
請求項１０から１３のいずれか１項に記載の居室構造体。
【請求項１５】
前記内部居室空間内には、前記入口面の内面に、テレビモニタが配置されている、
請求項１から請求項１４のいずれか１項に記載の居室構造体。
【考案の詳細な説明】
【技術分野】
【０００１】
本考案は、例えばカプセルホテル等で使用される、居室を構成する居室構造体に関する。
【背景技術】
【０００２】
従来、カプセルホテル等の宿泊施設や仮設居室空間として、内部に居室空間を有する居室構造体がある。例えば特許文献１に記載の居室構造体では、各居室構造体を上下に重ね合わせて、複数の居室空間を形成する。
【先行技術文献】
【特許文献】
【０００３】
【特許文献１】特開２００７−９２３７４号公報
【考案の概要】
【考案が解決しようとする課題】
【０００４】
居室構造体は、使用者が快適に過ごせるように内部の居室空間をできるだけ広くすることが望ましい。しかしながらその一方で、居室空間を広く取るべく居室構造体の高さを高くすると、それに従って上階の居室構造体の床面の高さが高くなる。このため、上階の居室空間に入る際にはしご等を登る際、使用者が上階の居室空間へ登りにくくなる。
また、上階の居室構造体の床面の高さが高くなると、使用者が荷物を上階の居室構造体に持ち上げるのが困難になることが考えられる。
本考案の目的は、居室空間への出入りを容易にしながらより広い居室空間を確保することができる居室構造体を提供することにある。
【課題を解決するための手段】
【０００５】
上記の目的を達成するために、本考案の居室構造体は、上下に積み重ね可能な居室構造体であって、居室構造体の内部居室空間へ入るための入口が形成される入口面と、居室構造体の床面とを有し、床面は、第１の床面と、入口面の左右方向に関して第１の床面に隣接して第１の床面よりも高く入口面から奥行き方向に延びる第２の床面と、入口面の左右方向に関して第２の床面とは反対側で第１の床面に隣接し第１の床面よりも低く入口面から奥行き方向に延びる第３の床面と、を有する、ことを特徴としている。
【０００６】
このように構成された本考案においては、居室構造体の床面が第１の床面より低い第３の床面を有しているので、この居室構造体を他の居室構造体の上に配置した際、第３の床面の高さは、他の部分の底面より低くなる。よって、建物の床面から上の居室構造体の入口までの高さが低くなり、使用者がはしご等を使用して上の居室構造体に上がりやすくなる。また、建物の床面から上の居室構造体の入口までの高さが低くなるので、使用者が荷物を上の居室空間に持ち上げるのが容易になる。
【０００７】
また、第３の床面を設けることにより、使用者に荷物の持ち上げの負担を強いたりすることなく居室構造体の高さを高くすることが可能となり、より広い居室空間の確保が可能になる。
一方、第３の床面よりも高い第１の床面及び第２の床面を設けることにより、この居室構造体を他の居室構造体の上に配置した際、下の居室構造体の天井面をより高くすることができる。
更に、床面が、互いに高さの異なる第１乃至第３の床面を有するので、段差のある居室構造体が形成されて居室構造体全体の剛性が確保され、振動、騒音が抑制される。
【０００８】
本考案において、好ましくは、第２の床面は、奥行き方向全長にわたって延びる。
このように構成された本考案においては、第２の床面が奥行き方向全長にわたって延びているので、第２の床面に家具等を設置するスペースを広く確保することができる。
【０００９】
本考案において、好ましくは、第３の床面は、奥行き方向全長にわたって延びる。
このように構成された本考案においては、第３の床面が奥行き方向全長にわたって延びているので、第３の床面に家具等を設置するスペースを広く確保することができる。
【００１０】
本考案において、好ましくは、第３の床面は、入口面に接続する位置から奥行き方向寸法の一部にわたって延びる。
このように構成された本考案においては、第３の床面が、入口面に接続する位置から奥行き方向寸法の一部にわたって延びているので、第１及び第２の床面より低い第３の床面の面積が奥行き方向全長にわたって延びている場合に比べて小さくなり、一方第１及び第２の床面をその分だけ大きくすることができる。これにより、居室空間内への出入りの容易さを確保したまま、第１及び第２の床面の面積を大きくすることができ、居室空間をより広くすることができる。
【００１１】
本考案において、好ましくは、入口面には、第３の床面と接続する位置に、内部居室空間へ入るための入口開口が設けられている。
このように構成された本考案においては、第３の床面と接続する位置に入口開口が設けられているので、他の床面よりも低い位置から居室空間に入ることができ、使用者が入口開口から内部居室空間へ入りやすくなる。
【００１２】
本考案において、好ましくは、居室構造体が他の居室構造体の上に積み重ねられている状態で、入口開口の位置には、他の居室構造体の設置面と入口開口とをつなぐはしごが取り付けられている。
このように構成された本考案においては、入口開口の位置にはしごが取り付けられているので、上の居室構造体に使用者が登る際に入口開口まで登りやすくなり、上の居室構造体を使用しやすくなる。
【００１３】
本考案において、好ましくは、第３の床面は、入口面の左右方向中央より左右いずれかにオフセットして配置されている。
このように構成された本考案においては、第３の床面が入口面の左右方向中央より左右いずれかにオフセットして配置されているので、使用者が居室内を使用中に他の床面より低い第３の床面に足を取られやすくなるなどの不具合が回避される。
【００１４】
本考案において、好ましくは、内部居室空間内には、第２の床面上に寝具が配置されている。
このように構成された本考案においては、第１の床面よりも高い位置にある第２の床面上に寝具が配置されているので、寝具へ入る、寝具から起き上がる等の動作が容易になる。また、寝具が第３の床面からは遠い位置に配置されることとなり、就寝時や起床時に使用者がより低い第３の床面に足を取られやすくなるなどの不具合が回避される。
【００１５】
本考案において、好ましくは、内部居室空間内には、第１の床面及び／又は第２の床面に、使用者の荷物を置くことが可能なスペースが設けられている。
このように構成された本考案においては、第１の面及び／又は第２の床面に、使用者の荷物を置くことが可能なスペースが設けられているので、使用者が内部居室空間に荷物を運んで荷物を管理することができ、利便性が向上する。
【００１６】
本考案において、好ましくは、前述の居室構造体を上に積み重ね可能な居室構造体であって、居室構造体の内部居室空間へ入るための入口が形成される入口面と、居室構造体の天井面と、を有し、天井面は、第１の床面に対応する位置に設けられる第１の天井面と、第２の床面に対応する位置に設けられて第１の天井面よりも高く入口面から奥行き方向に向かって延びる第２の天井面と、第３の床面に対応する位置に設けられて第１の天井面よりも低く入口面から奥行き方向に向かって延びる第３の天井面と、を有する、ことを特徴としている。
【００１７】
このように構成された本考案においては、居室構造体の天井面に、上に積み重ねられる可能性のある居室構造体の第１の床面、第２の床面及び第３の床面に対応する第１の天井面、第２の天井面及び第３の天井面が設けられているので、居室構造体の上に前述の居室構造体を積み重ねると、下の居室構造体の天井面の形状と上の居室構造体の床面の形状とが互いに嵌まり合う。したがって、上の居室構造体が第１乃至第３の床面を有している場合にも、居室構造体を上下干渉なく積み重ねることが可能になる。
また、第１の天井面は第３の天井面より高く、第２の天井面は第１の天井面より高くなっているので、居室空間の天井高さをより高く設定することが可能になる。
更に、天井面が、互いに高さの異なる第１乃至第３の天井面を有するので、段差のある居室構造体が形成されて居室構造体全体の剛性が確保され、振動、騒音が抑制される。
【００１８】
本考案において、好ましくは、第３の天井面は、居室構造体の入口面の左右方向中央より左右いずれかにオフセットして配置されている。
このように構成された本考案においては、第３の天井面が、居室構造体の入口面の左右方向中央より左右いずれかにオフセットして配置されているので、使用者が内部居室空間で移動する際により低い第３の天井面に頭部をぶつけるなどの不具合が回避される。
【００１９】
本考案において、好ましくは、入口面に、内部居室空間へ入るための入口開口が設けられ、入口開口は、入口面の左右方向中央より、第３の天井面が設けられた側とは反対側にオフセットして配置されている。
このように構成された本考案においては、入口開口が、第３の天井面が設けられた側とは反対側にオフセットして配置されているので、使用者が入口開口から内部居室空間に入ったときに第３の天井面に頭部をぶつけるなどの不具合が回避される。
【００２０】
本考案において、好ましくは、内部居室空間内には、第３の天井面が設けられた位置に対応する位置の床面に、寝具が配置されている。
このように構成された本考案においては、第３の天井面が設けられた位置に対応する位置の床面に寝具が配置されているので、天井高さが低くなった部分を有効活用することができる。
【００２１】
本考案において、好ましくは、内部居室空間内には、第１の天井面及び／又は第２の天井面が設けられた位置に対応する位置の床面に、使用者の荷物を置くことが可能なスペースが設けられている。
このように構成された本考案においては、第１の天井面及び／又は第２の天井面が設けられた位置に対応する床面に、使用者の荷物を置くことが可能なスペースが設けられているので、使用者が内部居室空間に荷物を運んでより高い天井面の空間で荷物を管理することができ、利便性が向上する。
【００２２】
本考案において、好ましくは、内部居室空間内には、入口面の内面に、テレビモニタが配置されている。
このように構成された本考案においては、入口面の内面に、テレビモニタが配置されているので、内部居室空間内の壁面スペースを有効活用することができる。
【図面の簡単な説明】
【００２３】
【図１】本考案の一実施形態に係る居室構造体が複数配置された状態を示す正面図である。
【図２】本考案の一実施形態に係る上側居室構造体の斜視図である。
【図３】本考案の一実施形態に係る上側居室構造体の正面図である。
【図４】本考案の一実施形態に係る上側居室構造体を背面側から見た断面図である。
【図５】本考案の一実施形態に係る下側居室構造体の斜視図である。
【図６】本考案の一実施形態に係る下側居室構造体の正面図である。
【図７】本考案の一実施形態に係る下側居室構造体を背面側から見た断面図である。
【図８】本考案の変形例を示す図である。
【図９】本考案の変形例を示す図である。
【考案を実施するための形態】
【００２４】
以下、本考案の好ましい実施形態を添付図面を参照して説明する。
図１は、本考案の一実施形態に係る居室構造体１が複数配置された状態を示す正面図である。この図１に示すように、居室構造体１は、上下に積み重ね可能に構成され、上側に配置される上側居室構造体２と、上側居室構造体２が上に積み重ねられて下側に配置される下側居室構造体４と、を有する。
【００２５】
図２は、本考案の一実施形態に係る上側居室構造体２の斜視図であり、図３は、本考案の一実施形態に係る上側居室構造体２の正面図であり、図４は、本考案の一実施形態に係る上側居室構造体を背面側から見た断面図である。これらの図２乃至図４に示すように、上側居室構造体２は、全体として略直方体の箱形に形成されており、正面前方側に配置された前方壁部６、前方壁部６に対向する後方壁部８、左右壁部１０，１２、天井壁部１４、及び底壁部１６を有する。
これらの壁部６，８，１０，１２，１４，１６に囲まれた空間は、使用者が居室として使用する内部居室空間１８であり、内部居室空間１８の前面は、使用者が内部居室空間１８へ入るための入口となる入口面を構成している。
【００２６】
図２及び図３に示すように、底壁部１６は、左右方向に対して略中央に設けられた第１の床面２０と、入口面の左右方向に関して第１の床面２０に隣接して、より具体的には正面から見て第１の床面２０の左側に隣接して配置される第２の床面２２と、入口面の左右方向に関して第２の床面２２とは反対側で、より具体的には正面から見て第１の床面２０の右側に、第１の床面２０に隣接して配置される第３の床面２４と、を有する。
第２の床面２２は、前方壁部６に接続する位置から奥行き方向全長にわたって延びる、長方形の平面形状となっており、第１の床面２０よりも高くなっている。また、第３の床面２４は、前方壁部６に接続する位置から奥側（後側）に向かって所定寸法だけ部分的に延びる略矩形の平面形状となっており、第１の床面２０よりも低くなっている。このような形状により、第１の床面２０は矩形の平面形状から第３の床面２４が設けられている部分を除いた、略Ｌ字形の平面形状となっている。
【００２７】
以上のような構成により、第３の床面２４は、居室構造体１を正面から見たとき、入口面の左右方向中央よりも右側にオフセットして配置されており、第２の床面２２は左側にオフセットして配置されている。
また、第２の床面２２の左右方向の寸法は、第１の床面２０の左右方向の寸法よりも大きく、第３の床面２４の左右方向の寸法は、第１の床面２０の左右方向の寸法よりも大きく第２の床面２２の左右方向の寸法より小さい。
【００２８】
第３の床面２４に接する前方壁部６の位置には、使用者が内部居室空間へ入るための略矩形の入口開口２６が設けられており、入口開口２６以外の入口面は、前方壁部６で覆われている。
また、第３の床面２４の位置には、第３の床面２４と下側居室構造体４が設置される設置面Ｆとの間に、はしご２８（図１）が設けられている。そして、入口開口２６の両側の前方壁部６には、手すり３０が設けられている。
【００２９】
図４に示すように、内部居室空間１８には、使用者が快適に過ごせるように、寝具であるマットレス３２、使用者の荷物を置くことができるスペースである荷物置き場３４、及びテレビモニタ３６が設置されている。
マットレス３２は、内部居室空間１８において第２の床面２２上に配置され、その長手方向が内部居室空間１８の前後方向に沿うように配置されている。
荷物置き場３４は、内部居室空間１８において第１の床面２０及び第２の床面２２に配置されている。
【００３０】
テレビモニタ３６は、内部居室空間１８において前方壁部６の内面で、マットレス３２の上方に設置されている。後方壁部８の内面でマットレス３２の上方には、使用者がテレビモニタ３６を観るときに背をもたせかけることができる背もたれや照明（図示せず）が設けられている。
【００３１】
更に、内部居室空間１８において前方壁部６の上方には、第１の床面２０及び第２の床面２２に対応する位置に、開口３８が設けられている。また、第１の床面２０に対応する位置の前方壁部６で第２の床面２２よりも低い位置には、換気扇４０が設けられている。
【００３２】
図５は、本考案の一実施形態に係る下側居室構造体４の斜視図であり、図６は、本考案の一実施形態に係る下側居室構造体４の正面図であり、図７は、本考案の一実施形態に係る下側居室構造体４を背面側から見た断面図である。これらの図５乃至図７に示されるように、下側居室構造体４は、上側居室構造体２と同様に略直方体の箱形であり、前方壁部４２、後方壁部４４、左右壁部４６，４８、天井壁部５０、及び底壁部５２を有し、これらの壁部で囲まれた空間が内部居室空間５４となっている。また、内部居室空間５４の前面は、使用者が内部居室空間５４へ入るための入口となる入口面を構成している。
【００３３】
図５及び図６に示すように、天井壁部５０は、上側居室構造体２の第１の床面２０に対応する位置に設けられた第１の天井面５６と、第２の床面２２に対応する位置に設けられた第２の天井面５８と、第３の床面２４に対応する位置に設けられた第３の天井面６０と、を有する。
第１の天井面５６は、入口面の左右方向に対して略中央に設けられており、第２の天井面５８は、第１の天井面５６よりも高くなっている。また第３の天井面６０は、第１の天井面５６よりも低くなっている。
【００３４】
以上のような構成により、第２の天井面５８は、第１の天井面より高い、奥行き寸法全長にわたって延びる、長方形の平面形状となっており、第３の天井面６０は、前方壁部４２に接続する位置から奥側（後側）に向かって所定寸法だけ部分的に延びる略矩形の平面形状となっている。したがって、第１の天井面５６は、矩形の平面形状から第３の天井面６０が設けられている部分を除いた、略Ｌ字形の平面形状となっている。
以上のような構成により、第３の天井面６０は、下側居室構造体４を正面から見たとき、入口面の左右方向中央よりも右側にオフセットして配置されており、第２の天井面５８は左側にオフセットして配置されている。
【００３５】
下側居室構造体４の第２の天井面５８に接する前方壁部４２の位置には、使用者が内部居室空間へ入るための略矩形の入口開口６２が設けられており、入口開口６２以外の入口面は、前方壁部４２で覆われている。
また、上側居室構造体２の第３の床面２４は、下側居室構造体４の第３の天井面６０に対応する位置に形成されているから、下側居室構造体４の第３の床面２４に接する入口開口２６から延びるはしご２８は、下側居室構造体４において左右方向中央位置よりも右側にオフセットした位置、より具体的には第３の天井面６０に対応する位置に配置され、前方壁部４２の前方に配置されている。
【００３６】
図７に示すように、内部居室空間５４には、使用者が快適に過ごせるように、寝具としてのマットレス６４、使用者の荷物を置くことができるスペースである荷物置き場６６、及びテレビモニタ６８が設置されている。
マットレス６４は、内部居室空間５４において第３の天井面６０及び第１の天井面５６に対応する位置の床面７０に設置され、その長手方向が内部居室空間５４の前後方向に沿うように配置されている。
【００３７】
荷物置き場６６は、内部居室空間５４において第２の天井面５８に対応する位置の床面７０に配置されている。
テレビモニタ６８は、内部居室空間５４において前方壁部４２の内面でマットレス６４の上方に設置されている。また、後方壁部４４の内面には、使用者がテレビモニタ６８を観るときに背をもたせかけることができる背もたれや照明（図示せず）が設けられている。
また、第２の天井面５８に対応する位置における前方壁部４２上部には、換気扇６９が設置されている。
【００３８】
このような構成の居室構造体１は、図１に示すように、下側居室構造体４を左右方向に複数配置し、下側居室構造体４の上方に、第１の床面２０が第１の天井面５６に対向し、第２の床面２２が第２の天井面５８に対向し、第３の床面２４が第３の天井面６０に対向するように、上側居室構造体２を配置する。
使用者が上側居室構造体２を使用する場合には、使用者ははしご２８を登って上側居室構造体２の第３の床面２４まで登り、入口開口２６から内部居室空間１８に入る。このとき、使用者がはしご２８を登るまえに荷物を第３の床面２４まで持ち上げてもよい。内部居室空間１８には荷物置き場３４が設けられているので、使用者は荷物を荷物置き場３４に置くことができる。
テレビモニタ３６でテレビを鑑賞する場合には、マットレス３２に座り、背もたれに寄りかかって鑑賞することができる。
【００３９】
使用者が下側居室構造体４を使用する場合には、使用者は入口開口６２から内部居室空間５４に入り、荷物を荷物置き場６６に置く。テレビモニタ６８でテレビを鑑賞する際には、使用者はマットレス６４に座って背もたれに寄りかかって鑑賞することができる。
【００４０】
このように構成された本実施形態によれば、次のような優れた効果を得ることができる。
上側居室構造体２の床面が、第１の床面２０よりも低い第３の床面２４を有しているので、この上側居室構造体２を下側居室構造体４の上に配置した際、第３の床面２４の高さは、第１及び第２の床面２０，２２の高さより低くなる。よって、居室構造体１の設置面Ｆから上側居室構造体２の第３の床面２４までの高さが低くなるから、使用者がはしご２８を使用して上側居室構造体２に上がる際に上がりやすくすることができる。また、設置面Ｆから上側居室構造体２の第３の床面２４までの高さが低くなるので、使用者が荷物を第３の床面２４まで容易に持ち上げることができる。
【００４１】
また、第３の床面２４を設けることにより、使用者に荷物の持ち上げの負担を強いたりすることなく上側居室構造体２及び下側居室構造体４の高さを高くすることができるから、上側居室構造体２及び下側居室構造体４の天井高さをより高く設定することができ、より広い内部居室空間１８，５４を確保することができる。
【００４２】
第３の床面２４より高い第１及び第２の床面２０，２２を設けたので、上側居室構造体２へのアクセスを容易にしながら、下側居室構造体４の天井を高くすることができる。すなわち、第３の天井面６０よりも高い第１及び第２の天井面５６，５８を設けることができ、下側居室構造体４の内部居室空間５４を広くすることができる。
【００４３】
上側居室構造体２が互いに高さの違う第１乃至第３の床面２０，２２，２４を有し、下側居室構造体４が互いに高さの違う第１乃至第３の天井面５６，５８，６０を有するので、上側及び下側居室構造体２，４を、段差を有する折板形状の構造とすることができる。よって上側及び下側居室構造体２，４の剛性を確保することができ、内部居室空間１８，５４で発生し得る振動や騒音を抑制することができる。
【００４４】
第３の床面２４が入口面、つまり前方壁部６に接続する位置から奥行き方向の寸法の一部にわたって延びているので、第１の床面２０を平面視Ｌ字形に形成することができ、第１の床面２０の面積を広くすることができるから、使用者が内部居室空間を使用しやすくなる。
【００４５】
第３の床面２４から設置面Ｆに延びるはしご２８が取り付けられているので、上側居室構造体２に使用者が登る際にはしご２８を用いて第３の床面２４まで登りやすくなり、上側居室構造体２を使用しやすくなる。
【００４６】
上側居室構造体２において、入口面には、第３の床面２４と接続する位置に、内部居室空間１８へ入るための入口開口２６を設けたので、他の第１及び第２の床面２０，２２よりも低い位置から内部居室空間１８に入ることができ、使用者が入口開口２６から内部居室空間１８へ容易に入ることができる。
【００４７】
第３の床面２４を、入口面の左右方向中央より右側にオフセットして配置したので、他の床面２０，２２より低い第３の床面２４が内部居室空間１８内の比較的端の位置に配置されるから、使用者が居室内を使用中に第３の床面２４に足を取られやすくなるなどの不具合を回避することができる。
【００４８】
上側居室構造体２の第２の床面２２上にマットレス３２を配置したので、第１の床面２０よりも高い位置に寝具を配置することができる。よって、マットレス３２に乗ったり、マットレス３２から起き上がったり等の動作を段差を利用して行うことができるから、マットレス３２に容易にアクセスすることができる。また、マットレス３２が第３の床面２４から遠い位置に配置されることとなり、就寝時や起床時に使用者がより低い第３の床面２４に足を取られやすくなるなどの不具合を回避することができる。
【００４９】
上側居室構造体２の内部居室空間１８には、第１の床面２０及び第３の床面２４に、使用者の荷物を置くことが可能な荷物置き場３４を設けたので、第２の床面２２より天井高さの高い位置で使用者が荷物を管理することができるから利便性を向上させることができる。
【００５０】
下側居室構造体４の天井面に、上側居室構造体２の第１乃至第３の床面２０，２２，２４に対応する第１乃至第３の天井面５６，５８，６０を有するので、下側居室構造体４の上に、上側居室構造体２を積み重ねると、第１乃至第３の床面２０，２２，２４の形状が第１乃至第３の天井面５６，５８，６０と対応して互いに嵌まり合う。したがって、下側居室構造体４及び上側居室構造体２を効率よくスペース内に組み立てることができる。
【００５１】
下側居室構造体４の天井面が第３の天井面６０よりも高い第１及び第２の天井面５６，５８を有しているので、内部居室空間５４の天井面を高くすることができ、内部居室空間５４を広くすることができる。
【００５２】
第３の天井面６０を、下側居室構造体４の入口面の左右方向中央より右側にオフセットして配置したので、他の天井面５６，５８よりも低い第３の天井面６０をが内部居室空間５４内の比較的端の位置に配置されるから、使用者が内部居室空間５４で移動する際により低い第３の天井面６０に頭部をぶつけるなどの不具合を回避することができる。
また、第３の天井面６０が入口面、つまり前方壁部４２に接続する位置から奥行き方向寸法の一部にわたって延びるので、第１の天井面５６が平面視Ｌ字形に形成され、より天井の高い領域が多くなるから、使用者が内部居室空間を使用しやすくなる。
【００５３】
入口開口６２を、入口面の左右方向中央より、第３の天井面６０が設けられた側とは反対側、つまり第２の天井面５８に対応する位置にオフセットして配置したので、より天井が高い位置に入口開口６２を配置することができる。よって使用者が入口開口６２から内部居室空間５４に入ったときに第３の天井面６０に頭部をぶつけるなどの不具合を回避することができる。
【００５４】
下側居室構造体４の第３の天井面６０が設けられた位置に対応する位置の床面に、マットレス６４を配置したので、天井高さが低くなった部分の空間を有効活用することができる。
【００５５】
下側居室構造体４の第１の天井面５６が設けられた位置に対応する位置の床面に、荷物置き場６６を設けたので、より天井面の高さが高い空間で使用者が荷物を管理することができるから、利便性を向上させることができる。
【００５６】
上側居室構造体２及び下側居室構造体４の内部居室空間１８，５４内の入口面の内面にテレビモニタ３６，６８を配置したので、内部居室空間１８，５４内の壁面スペースを有効活用することができる。
【００５７】
本考案は、以上の実施の形態に限定されることなく、例えば、以下のような態様であってもよい。
第１乃至第３の床面、及び第１乃至第３の天井面の平面視での形状は、前述の実施形態にような矩形に限らず、例えばＬ字形や正方形、半円形等、任意の形状を採用することができる。
【００５８】
第３の床面及び第３の天井面は、前述の実施形態では、左右方向中央から右側にオフセットして配置されていたが、これに限らず、例えば第３の床面及び第３の天井面は左右方向中央から左側にオフセットして配置されていてもよい。また、第３の床面及び第３の天井面は、左右方向中央から左右いずれかにオフセットして配置されていなくてもよく、例えば左右方向中央に配置されていてもよい。
入口開口以外の前面を壁部で必ずしも覆わなくてもよく、例えば前方壁面を設けず前面全体が開口となっていてもよい。
【００５９】
はしご、マットレス、荷物置き場、テレビモニタ、背もたれ等は、内部居室空間内の任意の位置に設置してよく、またこれらの付属品は必ずしも設置されていなくてもよい。また、付属品は、前述の実施形態に記載されたものに限らず、例えば金庫や洋服棚等、その他任意の付属品を設置することができる。
【００６０】
第３の床面は、奥行き方向寸法の一部にわたって延びていたが、これに限らず、例えば奥行き方向全長にわたって延びて配置されていてもよい。図８は、本考案の変形例を示す図である。この図８に示すように、第３の床面７２を、奥行き方向寸法の全長にわたって延びるように配置してもよく、第３の床面７２に隣接する第１の床面７４は、平面視長方形に形成されてもよい。  第１の床面及び第２の床面は、第３の床面と同様に、奥行き方向寸法の一部にわたって延びていてもよい。要するに、第１乃至第３の床面の平面視での形状は、任意に設定することができる。
【００６１】
また、図８のように、上側居室構造体の第３の床面７２を奥行き方向寸法の全長にわたって延びるように配置する場合、下側居室構造体においても、上側居室構造体の形状に対応して、第３の天井面を奥行き方向寸法の全長にわたって延びるように配置してもよい。図９は、本考案の変形例を示す図である。この図９に示すように、下側居室構造体の第３の天井面７６は、図８の上側居室構造体の形状に対応して、入口面に接する位置から奥側（後側）に向かって全長にわたって延びている。
第３の天井面に限らず、第１及び第２の天井面も、奥行き方向寸法の一部にわたって延びていてもよい。要するに、第１乃至第３の天井面の平面視での形状は、任意に設定することができる。
【００６２】
第１の床面、第２の床面、第３の床面の左右方向の寸法の大小関係は、上述の実施形態の通りに限らず、任意の大小関係を採用することができる。同様に、第１の天井面、第２の天井面、第３の天井面の左右方向の寸法の大小関係も、任意に設定することができる。
【符号の説明】
【００６３】
１  居室構造体
２  上側居室構造体
４  下側居室構造体
６，４２  前方壁部（入口面）
２０，７２  第１の床面
２２  第２の床面
２４，７０  第３の床面
２６，６２  入口開口
２８  はしご
３２，６４  マットレス（寝具）
３４，６６  荷物置き場
３６，６８  テレビモニタ
５６，７８  第１の天井面
５８  第２の天井面
６０，７６  第３の天井面
【図１】
0003226270.tif 000003
【図２】
0003226270.tif 000004
【図３】
0003226270.tif 000005
【図４】
0003226270.tif 000006
【図５】
0003226270.tif 000007
【図６】
0003226270.tif 000008
【図７】
0003226270.tif 000009
【図８】
0003226270.tif 000010
【図９】
0003226270.tif 000011